(57)【要約】【課題】歯列矯正の治療段階に応じて、最も好ましいアーチワイヤーに対する結紮圧を、歯の前面における上下、中央、左右および対角線上のそれぞれの所望の位置において、簡単かつ容易に微調整することができるようにし、高精度かつ確実な矯正治療が可能となるようにする。【解決手段】ブラケット本体２の前面２ａに左右方向のスロット部３を形成するとともに、このスロット部３を上下に跨ぐように、上下１対のウイング部４，５からなるウイングブロック４を形成し、このウイングブロック４を、左右方向に複数に分割するとともに、これら分割された複数のウイングブロック４のうちの、少なくとも１個のウイングブロック４おける上下のウイング部４，５の左右端面の少なくとも一方に、結紮ワイヤー１４，１５を掛け止め可能な補助ウイング部９，１０を形成して、歯列矯正用ブラケットとする。【選択図】    図２
2008073344.tif 000002
【特許請求の範囲】
【請求項１】
ブラケット本体の前面における上下方向の中央部に、アーチワイヤーが装着されるスロット部を、左右方向に形成するとともに、このスロット部を上下に跨ぐように、上下１対のウイング部からなるウイングブロックを形成し、かつこのウイングブロックにおける上下の両ウイング部に、結紮手段を掛け止めして、アーチワイヤーを、前方から後方に向けて圧接しうるようにした歯列矯正用ブラケットにおいて、
ウイングブロックにおける上下のウイング部の左右端面の少なくとも一方に、結紮手段が掛止め可能な補助ウイング部を形成したことを特徴とする歯列矯正用ブラケット。
【請求項２】
ウイングブロックを、左右方向に複数に分割するとともに、これら分割された複数のウイングブロックのうちの、少なくとも１個のウイングブロックにおける上下のウイング部の左右端面の少なくとも一方に、補助ウイング部を形成したことを特徴とする請求項１記載の歯列矯正用ブラケット。
【請求項３】
補助ウイング部を、左右端のウイングブロックにおける上下の各ウイング部の左右端面のうち、少なくとも外側に位置する端面に形成したことを特徴とする請求項１または２記載の歯列矯正用ブラケット。
【請求項４】
補助ウイング部を、少なくとも１個のウイングブロックにおける上下の各ウイング部の左右両端面に形成したことを特徴とする請求項１〜３のいずれかに記載の歯列矯正用ブラケット。
【請求項５】
補助ウイング部を、少なくとも１個のウイングブロックにおける上下の各ウイング部の左右端面のうちの、少なくとも一端面において、前後に離間させて複数個設けたことを特徴とする請求項１〜４のいずれかに記載の歯列矯正用ブラケット。
【請求項６】
補助ウイング部を、少なくとも１個のウイングブロックにおける上下の各ウイング部の左右端面のうちの、少なくとも一端面において、前後に離間させて設けた１対の補助ウイング部のうち、前方の補助ウイング部における前面を、スロット部に装着されるアーチワイヤーの前面よりも前方に位置させ、後方の補助ウイング部における後面を、アーチワイヤーの前面よりも後方に位置させたことを特徴とする請求項５記載の歯列矯正用ブラケット。
【請求項７】
結紮手段との接触面を粗面に形成したアーチワイヤーを、ブラケット本体のスロット部に装着し、結紮手段により結紮したことを特徴とする請求項１〜６のいずれかに記載の歯列矯正用ブラケット。
【発明の詳細な説明】
【技術分野】
【０００１】
本発明は、歯列矯正治療における患者の歯面に、アーチワイヤーを装着するために使用される歯列矯正用ブラケットに関する。
【背景技術】
【０００２】
一般に、歯列矯正用ブラケットは、アーチワイヤーの曲げや引っ張りにより生じる荷重を、矯正したい歯に伝達するために、患者の個々の歯面に固定して使用されている。
【０００３】
従来の歯列矯正用ブラケットにおいては、ブラケット本体の前面における上下方向の中央部に、アーチワイヤーが装着されるスロット部を、左右方向に向けて形成するとともに、このスロット部を跨ぐように、上下１対のウイング部からなるウイングブロックを、左右に離間してツイン型として形成し、この左右のウイングブロックにおけるウイング部に、結紮線や結紮ゴムリング等の結紮手段を掛け止めして、アーチワイヤーを、ブラケット本体におけるスロット部の基底部に圧接させて結紮しうるようにしたものが公知である（特許文献１〜３参照）。
【０００４】
歯列矯正の治療は、アーチワイヤーの荷重を、個々の歯にブラケット本体を介して伝達させるようにしてあるため、アーチワイヤーをブラケット本体のスロット部に結紮する際には、治療段階に応じて、アーチワイヤーの荷重に応じて、個々の歯が、それぞれの矯正変位や方向に応じて、スムーズに移動しうるように、アーチワイヤーがブラケット本体に対して相対移動するときの摩擦抵抗、特に、アーチワイヤーに対する結紮圧を調整しなければならない。
しかし、上記各特許文献に記載のものでは、アーチワイヤーを、個々の歯毎に固定されるブラケット本体のスロット部に、それぞれの矯正変位や方向に応じて結紮する際、結紮手段の掛け止めによるアーチワイヤーに対する結紮圧を、歯の前面における上下、中央、左右および対角線上のそれぞれの所望の位置において、充分な微調整が容易にできるとは言えず、精度が高く、かつ確実な矯正治療が必ずしも期待できないという問題があった。
【特許文献１】特開平６−２３３７８１号公報
【特許文献２】特開平９−９８９８８号公報
【発明の開示】
【発明が解決しようとする課題】
【０００５】
本発明は、上記した従来の技術が有する問題点に鑑み、歯列矯正の治療段階に応じて、最も好ましいアーチワイヤーに対する結紮圧を、歯の前面における上下、中央、左右および対角線上のそれぞれの所望の位置において、簡単かつ容易に微調整することができるようにし、高精度かつ確実な矯正治療を可能とした歯列矯正用ブラケットを提供することを目的とする。
【課題を解決するための手段】
【０００６】
本発明によると、上記課題は、次のようにして解決される。
（１）  ブラケット本体の前面における上下方向の中央部に、アーチワイヤーが装着されるスロット部を、左右方向に形成するとともに、このスロット部を上下に跨ぐように、上下１対のウイング部からなるウイングブロックを形成し、かつこのウイングブロックにおける上下の両ウイング部に、結紮手段を掛け止めして、アーチワイヤーを、前方から後方に向けて圧接しうるようにした歯列矯正用ブラケットにおいて、ウイングブロックにおける上下の各ウイング部の左右端面の少なくとも一方に、結紮手段が掛止め可能な補助ウイング部を形成する。
【０００７】
（２）  上記（１）項において、ウイングブロックを、左右方向に複数に分割するとともに、これら分割された複数のウイングブロックのうちの、少なくとも１個のウイングブロックにおける上下のウイング部の左右端面の少なくとも一方に、補助ウイング部を形成する。
【０００８】
（３）  上記（１）項または（２）項において、補助ウイング部を、左右端のウイングブロックにおける上下の各ウイング部の左右端面のうち、少なくとも外側に位置する端面に形成する。
【０００９】
（４）  上記（１）〜（３）項のいずれかにおいて、補助ウイング部を、少なくとも１個のウイングブロックにおける上下の各ウイング部の左右両端面に形成する。
【００１０】
（５）  上記（１）〜（４）項のいずれかにおいて、補助ウイング部を、少なくとも１個のウイングブロックにおける上下の各ウイング部の左右端面のうちの、少なくとも一端面において、前後に離間させて複数個設ける。
【００１１】
（６）  上記（５）項において、補助ウイング部を、少なくとも１個のウイングブロックにおける上下の各ウイング部の左右端面のうちの、少なくとも一端面において、前後に離間させて設けた１対の補助ウイング部のうち、前方の補助ウイング部における前面を、スロット部に装着されるアーチワイヤーの前面よりも前方に位置させ、後方の補助ウイング部における後面を、アーチワイヤーの前面よりも後方に位置させる。
【００１２】
（７）  上記（１）〜（６）項のいずれかにおいて、結紮手段との接触面を粗面に形成したアーチワイヤーを、ブラケット本体のスロット部に装着し、結紮手段により結紮する。
【発明の効果】
【００１３】
請求項１記載の発明によると、ウイングブロックにおける上下の各ウイング部の左右端面の少なくとも一方に、結紮手段が掛止め可能な補助ウイング部を形成してあるために、補助ウイング部を、結紮手段による結紮時に、ウイング部と共に選択的に使用することにより、歯列矯正の治療段階に応じて、最も好ましいアーチワイヤーに対する結紮圧を、歯の前面における上下、中央、左右および対角線上のそれぞれの所望の位置において、アーチワイヤーがブラケット本体に対して相対移動するときの摩擦抵抗を、簡単かつ容易に微調整することができ、高精度かつ確実な矯正治療を行うことができる。
【００１４】
請求項２記載の発明によると、ウイングブロックを、左右方向に複数に分割するとともに、これら分割された複数のウイングブロックのうちの、少なくとも１個のウイングブロックにおける上下のウイング部の左右端面の少なくとも一方に、補助ウイング部を形成してあるため、これらの補助ウイング部を、結紮手段による結紮時に、ウイング部と共に選択的に使用することにより、歯列矯正の治療段階に応じて、最も好ましいアーチワイヤーに対する結紮圧を、歯の前面における上下、中央、左右および対角線上のそれぞれの所望の位置において、アーチワイヤーがブラケット本体に対して相対移動するときの摩擦抵抗を、簡単かつ容易に微調整することができ、高精度かつ確実な矯正治療を行うことができる。
【００１５】
請求項３記載の発明によると、補助ウイング部を、左右端のウイングブロックにおける上下の各ウイング部の左右端面のうち、少なくとも外側に位置する端面に形成してあるため、結紮手段の補助ウイング部への掛け止めが容易であるばかりでなく、結紮手段を、補助ウイング部に掛け止めすることにより、この掛け止めした補助ウイング部に対応する歯面の左右両面には、アーチワイヤーに対する結紮圧が作用することがなく、アーチワイヤーがブラケット本体に対して相対移動するときの摩擦抵抗を小さくすることができ、歯の移動をスムーズにすることができる。
また、摩擦抵抗を大きくしたい場合は、補助ウイング部へ掛け止めすることなく、通常のアーチワイヤーの結紮をもって行うことができる。
さらに、結紮手段を、ウイングブロックにおける上下の各ウイング部に形成した上下の補助ウイングのうちの、いずれか一方を選択して掛け止めすることにより、歯面の左右両面における上下あるいは対角線上の摩擦抵抗を微調整することができる。
【００１６】
請求項４記載の発明によると、補助ウイング部を、少なくとも１個のウイングブロックにおける上下の各ウイング部の左右両端面に形成してあるため、結紮手段を、所望の補助ウイング部に多様な形態で選択的に掛け止めすることができ、これにより、治療段階に応じて、歯面の上下、中央、左右および対角線上における、アーチワイヤーに対する結紮圧を所望の大きさに、容易かつ簡単に微調整することができる。
【００１７】
請求項５記載の発明によると、補助ウイング部を、少なくとも１個のウイングブロックにおける上下の各ウイング部の左右端面のうちの、少なくとも一端面において、前後に離間させて複数個設けてあるため、結紮手段を、前方の補助ウイング部に掛け止めすることにより、アーチワイヤーがブラケット本体に対して相対移動するときの摩擦抵抗を、小さくすることができ、歯の移動をスムーズにすることができるとともに、一方、結紮手段を、後方の補助ウイング部に掛け止めすることにより、アーチワイヤーに対する結紮圧が大きくなり、アーチワイヤーがブラケット本体に対して相対移動するときの摩擦抵抗を補助ウイング部に掛け止めしない通常のアーチワイヤーの結紮の場合に比較して、さらに大きくすることができる。
したがって、摩擦抵抗を多様に調節することができることにより、従来よりも、良好な矯正治療を短期間で行うことができる。
【００１８】
請求項６記載の発明によると、補助ウイング部を、少なくとも１個のウイングブロックにおける上下の各ウイング部の左右端面のうちの、少なくとも一端面において、前後に離間させて設けた１対の補助ウイング部のうち、前方の補助ウイング部における前面を、スロット部に装着されるアーチワイヤーの前面よりも前方に位置させ、後方の補助ウイング部における後面を、アーチワイヤーの前面よりも後方に位置させているため、結紮手段を、前方の補助ウイング部に掛け止めすることにより、この補助ウイング部の掛止め部位に対応する歯面には、アーチワイヤーに対する結紮圧が作用することがなく、アーチワイヤーがブラケット本体に対して相対移動するときの摩擦抵抗を、より小さくすることができ、歯の移動が、よりスムーズになる。
また、結紮手段を、後方の補助ウイング部に掛け止めすることにより、この掛け止めした補助ウイング部に対応する歯面には、アーチワイヤーに対する結紮圧が、より大きく作用し、アーチワイヤーがブラケット本体に対して相対移動するときの摩擦抵抗を、より大きくすることができる。
このため、摩擦抵抗を多様に調節して、より良好な歯列矯正治療を行うことができる。
【００１９】
請求項７記載の発明によると、結紮手段との接触面を粗面に形成したアーチワイヤーを、ブラケット本体のスロット部に装着し、結紮手段により結紮しているため、アーチワイヤーが結紮手段に対して相対移動するときの摩擦抵抗を、より大きくすることができ、大きい摩擦抵抗を必要とする治療段階に好適に用いることができる。
【発明を実施するための最良の形態】
【００２０】
以下、本発明の実施形態を、図面を参照しながら詳細に説明する。
図１は、本発明の第１実施形態における歯列矯正用ブラケットの斜視図、図２は、第１結紮手段によるアーチワイヤーとブラケットとの通常の結紮形態を示す斜視図、図３は、同じく側面図、図４は、第１結紮手段によるアーチワイヤーとブラケットとの結紮圧を調整した形態を示す斜視図、図５は、同じく側面図である。
【００２１】
図１に示すように、本発明の第１実施形態における歯列矯正用ブラケット１は、ブラケット本体２と、その前面２ａにおける上下方向の中央部に形成され、かつ前面が開口された左右方向のスロット部３と、このスロット部３を上下に跨ぐように、上下１対のウイング部５，６からなるウイングブロック４とにより構成されている。
【００２２】
ブラケット本体２は、単結晶サファイヤまたは多結晶アルミナ等のセラミック、ポリカーボネート等のプラスチックス、ステンレスまたは純チタン等の金属などの素材からなっており、患者の歯面（図示せず）に接着剤を介して固着される。
【００２３】
ウイングブロック４は、左右方向に所望の間隔をもって２分割されている。各ウイングブロック４における上部ウイング部５の上端部と下部ウイング部６の下端部との各後面には、左右方向に延びる断面半円弧状の引掛部７，８がそれぞれ形成されている。各ウイング部５，６における左右端面のうちの外側に位置する端面（外側端面）５ａ，６ａには、補助ウイング部９，１０がスロット部３の開口端側に近接させて形成されている。各補助ウイング部９，１０の前面には、上下方向に延びる引掛溝部１１，１２が形成されている。
【００２４】
ブラケット本体２のスロット部３には、図２〜図５に示すように、ステンレススチールやニッケル−チタン等の超弾性を有する断面矩形状のアーチワイヤー１３が装着されるようになっている。このアーチワイヤー１３は、第１結紮手段を構成する第１結紮ワイヤー１４と第２結紮ワイヤー１５とによる掛け止めにより、左右のウイングブロック４，４毎に、ブラケット本体２におけるスロット部３の基底面３ａに向けて、前方から後方に向け圧接されるようにして、ブラケット本体２に結紮しうるようになっている。この場合、ウイングブロック４の上下の各ウイング部５，６に形成された補助ウイング部９，１０の前面は、スロット部３に装着されるアーチワイヤー１３の前面１３ａよりも前方に位置させてある。
【００２５】
図２および図３は、ブラケット本体２とアーチワイヤー１３との通常の結紮状態を示す。図２において、左側のウイングブロック４には、第１結紮ワイヤー１４がループ状に掛け止めされ、右側のウイングブロック４には、第２結紮ワイヤー１５がループ状に掛け止めされる。第１結紮ワイヤー１４および第２結紮ワイヤー１５は、上下のウイング部５，６の引掛部７，８に引っ掛けて、図３に示すように、補助ウイング部９，１０の後面側を通るように、左右の各ウイングブロック４，４の周囲に巻回されるようにしてある。
これにより、アーチワイヤー１３は、各ウイングブロック４，４間の中央部を通る２本の結紮ワイヤー１４，１５と、各ウイングブロック４，４の左右端面における外側端面を通る２本の結紮ワイヤー１４，１５との４本の結紮ワイヤーにより、ブラケット本体２におけるスロット部３の基底面３ａに向けて圧接しうるように結紮され、ブラケット本体２の上下、中央、左右のすべての部位におけるアーチワイヤー１３に対する結紮圧が高められるように調整して、アーチワイヤー１３とブラケット本体２との相対的な移動を阻止している。
【００２６】
図４および図５は、ブラケット本体２とアーチワイヤー１３との結紮圧を調整した形態を示す図である。図４に示すように、左右のウイングブロック４，４の周囲にループ状に掛け止めされた第１および第２結紮ワイヤー１４，１５のそれぞれは、図５に示すように、補助ウイング部９，１０の前面側の引掛溝部１１，１２を通るように引っ掛けて巻回させている。
これにより、アーチワイヤー１３は、各ウイングブロック４，４間の中央部を通る２本の結紮ワイヤー１４，１５のみで結紮されるようにし、各ウイングブロック４，４の左右端面における外側端面を通る２本の結紮ワイヤー１４，１５によって、ブラケット本体２におけるスロット部３の基底面３ａに圧接されないように開放して、ブラケット本体２の左右の部位におけるアーチワイヤー１３に対する結紮圧を回避しうるように調整し、アーチワイヤー１３とブラケット本体２との相対的な移動を容易にしている。
【００２７】
図６（Ａ）〜（Ｅ）は、上記した第１結紮手段によるアーチワイヤー１３とブラケット本体２との結紮圧を調整した形態の各種パターンを概略的に示す図である。
【００２８】
図６（Ａ）に示すように、左側のウイングブロック４に掛け止めされる第１結紮ワイヤー１４は、上下の各ウイング部５，６における左外側端面５ａ，６ａに形成された補助ウイング部９，１０の前面側を通るようにして、ブラケット本体２の左側部位におけるアーチワイヤー１３に対する結紮圧が回避されるようにしてある。右側のウイングブロック４に掛け止めされる第２結紮ワイヤー１５は、補助ウイング部９，１０の後面側を通るようにして、ブラケット本体２の右側部位におけるアーチワイヤー１３に対する結紮圧を高めるようにしてある。
これにより、ブラケット本体２の左側部位におけるアーチワイヤー１３との相対的な移動を容易にし、右側部位におけるアーチワイヤー１３との相対的な移動を阻止しうるように調整してある。
【００２９】
図６（Ｂ）に示すように、図６（Ａ）とは逆の構成とすることにより、ブラケット本体２の左側部位におけるアーチワイヤー１３との相対的な移動を阻止し、右側部位におけるアーチワイヤー１３との相対的な移動が容易となるように調整してある。
【００３０】
図６（Ｃ）に示すように、左側のウイングブロック４に掛け止めされる第１結紮ワイヤー１４は、上部のウイング部５における補助ウイング部９の前面側を通り、下部のウイング部６における補助ウイング部１０の後面側を通るようにして、ブラケット本体２の左上側部位におけるアーチワイヤー１３に対する結紮圧が回避されるようにしてある。右側のウイングブロック４に掛け止めされる第２結紮ワイヤー１５は、補助ウイング部９，１０の後面側を通るようにして、ブラケット本体２の右側部位におけるアーチワイヤー１３に対する結紮圧を高めるようにしてある。
これにより、ブラケット本体２の左上側部位におけるアーチワイヤー１３との相対的な移動を容易にし、右側部位におけるアーチワイヤー１３との相対的な移動を阻止しうるように調整してある。
【００３１】
図６（Ｄ）に示すように、左側のウイングブロック４に掛け止めされる第１結紮ワイヤー１４は、補助ウイング部９，１０の後面側を通るようにして、ブラケット本体２の左側部位におけるアーチワイヤー１３に対する結紮圧を高めるようにしてある。右側のウイングブロック４に掛け止めされる第２結紮ワイヤー１５は、上部のウイング部５における補助ウイング部９の前面側を通り、下部のウイング部６における補助ウイング部１０の後面側を通るようにして、ブラケット本体２の右上側部位におけるアーチワイヤー１３に対する結紮圧が回避されるようにしてある。
これにより、ブラケット本体２の左側部位におけるアーチワイヤー１３との相対的な移動を阻止しうるようにし、右上側部位におけるアーチワイヤー１３との相対的な移動が容易となるように調整してある。
【００３２】
図６（Ｅ）に示すように、左側のウイングブロック４に掛け止めされる第１結紮ワイヤー１４は、上部の補助ウイング部９の後面側を通り、下部の補助ウイング部１０の前面側を通るようにして、ブラケット本体２の左上側部位におけるアーチワイヤー１３に対する結紮圧を高め、左下側部位におけるアーチワイヤー１３に対する結紮圧が回避されるようにしてある。右側のウイングブロック４に掛け止めされる第２結紮ワイヤー１５は、上部のウイング部５における補助ウイング部９の前面側を通り、下部のウイング部６における補助ウイング部１０の後面側を通るようにして、ブラケット本体２の右下側部位におけるアーチワイヤー１３に対する結紮圧を高め、右上側部位におけるアーチワイヤー１３に対する結紮圧が回避されるようにしてある。
これにより、ブラケット本体２の左上側部位と右下側部位における対角線上の部位でのアーチワイヤー１３との相対的な移動を阻止しうるようにし、左下側部位と右上側部位における対角線上の部位での相対的な移動が容易となるように調整してある。
【００３３】
図７（Ａ）〜（Ｅ）は、第２結紮手段によるアーチワイヤー１３とブラケット本体２との結紮圧の調整状態の各種パターンを概略的に示す図である。第２結紮手段としては、１本の結紮ワイヤー１６により、アーチワイヤー１３に対して、左右のウイングブロッ４，４間にループ状に連続して跨るように掛け止めしうるような構成となっている。
【００３４】
図７（Ａ）に示すように、結紮ワイヤー１６は、左右のウイングブロッ４，４における上下の各ウイング部５，６の外側端面５ａ，６ａに形成された補助ウイング部９，１０の後面側を通るようにして、ブラケット本体２の左右両側部位におけるアーチワイヤー１３に対する結紮圧を高めるようにしてある。
これにより、ブラケット本体２の左右両側部位におけるアーチワイヤー１３との相対的な移動を阻止しうるように調整してある。
【００３５】
図７（Ｂ）に示すように、結紮ワイヤー１６は、左側のウイングブロック４の上下のウイング部５，６における補助ウイング部９，１０の後面側を通るようにして、ブラケット本体２の左側部位におけるアーチワイヤー１３に対する結紮圧を高めるようにし、右側のウイングブロック４の上下のウイング部５，６における補助ウイング部９，１０の前面側を通るようにして、アーチワイヤー１３に対する結紮圧が回避されるようにしてある。
これにより、ブラケット本体２の左側部位におけるアーチワイヤー１３との相対的な移動を阻止しうるようにし、右側部位におけるアーチワイヤー１３との相対的な移動が容易となるように調整してある。
【００３６】
図７（Ｃ）に示すように、結紮ワイヤー１６は、左右のウイングブロッ４，４における上下の各ウイング部５，６の外側端面５ａ，６ａに形成された補助ウイング部９，１０の前面側を通るようにして、ブラケット本体２の左右両側部位におけるアーチワイヤー１３に対する結紮圧が回避されるようにしてある。
これにより、ブラケット本体２の左右両側部位におけるアーチワイヤー１３との相対的な移動が容易となるように調整してある。
【００３７】
図７（Ｄ）に示すように、結紮ワイヤー１６は、左側のウイングブロック４の上下のウイング部５，６における補助ウイング部９，１０の後面側を通るようにして、ブラケット本体２の左側部位におけるアーチワイヤー１３に対する結紮圧を高めるようにし、右側のウイングブロック４の上部のウイング部５における補助ウイング部９の前面側を通り、下部のウイング部６における補助ウイング部１０の後面側を通るようにして、ブラケット本体２の右上側部位におけるアーチワイヤー１３に対する結紮圧が回避されるようにしてある。
これにより、ブラケット本体２の左側部位におけるアーチワイヤー１３との相対的な移動を阻止しうるようにし、右上側部位におけるアーチワイヤー１３との相対的な移動が容易となるように調整してある。
【００３８】
図７（Ｅ）に示すように、結紮ワイヤー１６は、左側のウイングブロック４の上部の補助ウイング部９の後面側を通り、下部の補助ウイング部１０の前面側を通るようにして、ブラケット本体２の左上側部位におけるアーチワイヤー１３に対する結紮圧を高め、左下側部位におけるアーチワイヤー１３に対する結紮圧が回避されるようにするとともに、右側のウイングブロック４の上部のウイング部５における補助ウイング部９の前面側を通り、下部のウイング部６における補助ウイング部１０の後面側を通るようにして、ブラケット本体２の右下側部位におけるアーチワイヤー１３に対する結紮圧を高め、右上側部位におけるアーチワイヤー１３に対する結紮圧が回避されるようにしてある。
これにより、ブラケット本体２の左上側部位と右下側部位における対角線上の部位でのアーチワイヤー１３との相対的な移動を阻止しうるようにし、左下側部位と右上側部位における対角線上の部位での相対的な移動が容易となるように調整してある。
【００３９】
図８（Ａ）〜（Ｅ）は、第３結紮手段によるアーチワイヤー１３とブラケット本体２との結紮圧の調整状態の各種パターンを概略的に示す。第３結紮手段としては、１本の結紮ワイヤー１７により、アーチワイヤー１３に対して、左右のウイングブロッ４，４間にループ状にたすき掛け状態で連続して跨るように掛け止めしうるような構成となっている。
【００４０】
図８（Ａ）に示すように、結紮ワイヤー１７は、左右のウイングブロッ４，４における上下の各ウイング部５，６の外側端面５ａ，６ａに形成された補助ウイング部９，１０の後面側を通るようにして、ブラケット本体２の左右両側部位におけるアーチワイヤー１３に対する結紮圧を高めるようにしてある。
これにより、ブラケット本体２の左右両側部位におけるアーチワイヤー１３との相対的な移動を阻止しうるように調整してある。
【００４１】
図８（Ｂ）に示すように、結紮ワイヤー１７は、左側のウイングブロック４の上下のウイング部５，６における補助ウイング部９，１０の後面側を通るようにして、ブラケット本体２の左側部位におけるアーチワイヤー１３に対する結紮圧を高めるようにし、右側のウイングブロック４の上下のウイング部５，６における補助ウイング部９，１０の前面側を通るようにして、アーチワイヤー１３に対する結紮圧が回避されるようにしてある。
これにより、ブラケット本体２の左側部位におけるアーチワイヤー１３との相対的な移動を阻止しうるようにし、右側部位におけるアーチワイヤー１３との相対的な移動が容易となるように調整してある。
【００４２】
図８（Ｃ）に示すように、結紮ワイヤー１６は、左右のウイングブロッ４，４における上下の各ウイング部５，６の外側端面５ａ，６ａに形成された補助ウイング部９，１０の前面側を通るようにして、ブラケット本体２の左右両側部位におけるアーチワイヤー１３に対する結紮圧が回避されるようにしてある。
これにより、ブラケット本体２の左右両側部位におけるアーチワイヤー１３との相対的な移動が容易となるように調整してある。
【００４３】
図８（Ｄ）に示すように、結紮ワイヤー１７は、左側のウイングブロック４の上下のウイング部５，６における補助ウイング部９，１０の後面側を通るようにして、ブラケット本体２の左側部位におけるアーチワイヤー１３に対する結紮圧を高めるようにし、右側のウイングブロック４の上部のウイング部５における補助ウイング部９の前面側を通り、下部のウイング部６における補助ウイング部１０の後面側を通るようにして、ブラケット本体２の右上側部位におけるアーチワイヤー１３に対する結紮圧が回避されるようにしてある。
これにより、ブラケット本体２の左側部位におけるアーチワイヤー１３との相対的な移動を阻止しうるようにし、右上側部位におけるアーチワイヤー１３との相対的な移動が容易となるように調整してある。
【００４４】
図８（Ｅ）に示すように、結紮ワイヤー１７は、左側のウイングブロック４の上部の補助ウイング部９の後面側を通り、下部の補助ウイング部１０の前面側を通るようにして、ブラケット本体２の左上側部位におけるアーチワイヤー１３に対する結紮圧を高め、左下側部位におけるアーチワイヤー１３に対する結紮圧が回避されるようにするとともに、右側のウイングブロック４の上部のウイング部５における補助ウイング部９の前面側を通り、下部のウイング部６における補助ウイング部１０の後面側を通るようにして、ブラケット本体２の右下側部位におけるアーチワイヤー１３に対する結紮圧を高め、右上側部位におけるアーチワイヤー１３に対する結紮圧が回避されるようにしてある。
これにより、ブラケット本体２の左上側部位と右下側部位における対角線上の部位でのアーチワイヤー１３との相対的な移動を阻止しうるようにし、左下側部位と右上側部位における対角線上の部位での相対的な移動が容易となるように調整してある。
【００４５】
図９（Ａ）〜（Ｅ）は、本発明の第２実施形態を示し、第１実施形態における歯列矯正用ブラケット１のブラケット本体２に形成されるウイングブロック４を単一にして、アーチワイヤー１３とブラケット本体２との結紮圧の調整状態の各種パターンを概略的に示す図である。第２結紮手段としては、図７と同様に、１本の結紮ワイヤー１６により、アーチワイヤー１３に対して、ウイングブロッ４における上下のウイング部５，６間にループ状に連続して跨るように掛け止めしうるような構成となっている。
【００４６】
図９（Ａ）に示すように、結紮ワイヤー１６は、ウイングブロッ４における上下各ウイング部５，６の左右外側端面に形成された補助ウイング部９，１０の後面側を通るようにして、ブラケット本体２の左右両側部位におけるアーチワイヤー１３に対する結紮圧を高めるようにしてある。
これにより、ブラケット本体２の左右両側部位におけるアーチワイヤー１３との相対的な移動を阻止しうるように調整してある。
【００４７】
図９（Ｂ）に示すように、結紮ワイヤー１６は、ウイングブロック４の上下ウイング部５，６における左側の補助ウイング部９，１０の後面側を通るようにして、ブラケット本体２の左側部位におけるアーチワイヤー１３に対する結紮圧を高めるようにし、ウイングブロック４の上下ウイング部５，６における右側の補助ウイング部９，１０の前面側を通るようにして、アーチワイヤー１３に対する結紮圧が回避されるようにしてある。
これにより、ブラケット本体２の左側部位におけるアーチワイヤー１３との相対的な移動を阻止しうるようにし、右側部位におけるアーチワイヤー１３との相対的な移動が容易となるように調整してある。
【００４８】
図９（Ｃ）に示すように、結紮ワイヤー１６は、ウイングブロッ４の上下ウイング部５，６における左右両側の各補助ウイング部９，１０の前面側を通るようにして、ブラケット本体２の左右両側部位におけるアーチワイヤー１３に対する結紮圧が回避されるようにしてある。
これにより、ブラケット本体２の左右両側部位におけるアーチワイヤー１３との相対的な移動が容易となるように調整してある。
【００４９】
図９（Ｄ）に示すように、結紮ワイヤー１６は、ウイングブロック４の上下ウイング部５，６における左側の補助ウイング部９，１０の後面側を通るようにして、ブラケット本体２の左側部位におけるアーチワイヤー１３に対する結紮圧を高めるようにし、ウイングブロック４の右側上部のウイング部５における補助ウイング部９の前面側を通り、右側下部のウイング部６における補助ウイング部１０の後面側を通るようにして、ブラケット本体２の右上側部位におけるアーチワイヤー１３に対する結紮圧が回避されるようにしてある。
これにより、ブラケット本体２の左側部位におけるアーチワイヤー１３との相対的な移動を阻止しうるようにし、右上側部位におけるアーチワイヤー１３との相対的な移動が容易となるように調整してある。
【００５０】
図９（Ｅ）に示すように、結紮ワイヤー１６は、ウイングブロック４の左側上部の補助ウイング部９の後面側を通り、左側下部の補助ウイング部１０の前面側を通るようにして、ブラケット本体２の左上側部位におけるアーチワイヤー１３に対する結紮圧を高め、左下側部位におけるアーチワイヤー１３に対する結紮圧が回避されるようにするとともに、ウイングブロック４の右側上部のウイング部５における補助ウイング部９の前面側を通り、右側下部のウイング部６における補助ウイング部１０の後面側を通るようにして、ブラケット本体２の右下側部位におけるアーチワイヤー１３に対する結紮圧を高め、右上側部位におけるアーチワイヤー１３に対する結紮圧が回避されるようにしてある。
これにより、ブラケット本体２の左上側部位と右下側部位における対角線上の部位でのアーチワイヤー１３との相対的な移動を阻止しうるようにし、左下側部位と右上側部位における対角線上の部位での相対的な移動が容易となるように調整してある。
【００５１】
図１０および図１１は、本発明の歯列矯正用ブラケットの第３実施形態を示す、それぞれ斜視図と側面図である。図１０に示すように、本実施形態の歯列矯正用ブラケット１８は、第１実施形態と同様に、ブラケット本体１９の前面に、スロット部２０を上下に跨ぐように形成されたウイングブロック２１の上下の各ウイング部２２，２３における左右端面のうちの外側端面に、前後に離間させて１対の補助ウイング部２４，２５および２６，２７が設けられている。
【００５２】
図１１に示すように、前方の補助ウイング部２４、２６における前面は、スロット部２０に装着されるアーチワイヤー２８の前面よりも前方に位置させてあり、後方の補助ウイング部２５、２７における後面は、アーチワイヤー２８の前面よりも後方に位置させてある。
これにより、ウイングブロック２１における上下の各ウイング部２２，２３に掛け止めされた結紮ワイヤー２９を、上部のウイング部２２における後方の補助ウイング部２５の後面側からアーチワイヤー２８の前面を通して、下部のウイング部２３における後方の補助ウイング部２７の後面側に向けて結紮しうるようにしたとき、アーチワイヤー２８に対する結紮圧を、より一層高めることが可能となる。
【００５３】
図１２は、本発明の歯列矯正用ブラケットの第４実施形態を示す斜視図である。図１２に示すように、本実施形態の歯列矯正用ブラケット３０は、第１実施形態の同様に、ブラケット本体３１の前面に、スロット部３２を上下に跨ぐように形成されたウイングブロック３３の上下の各ウイング部３４，３５における左右端面において、内外両側端面に、補助ウイング部３６、３７を設けてなる構成を有する。
【００５４】
図１３は、本発明の歯列矯正用ブラケットの第４実施形態を示す斜視図である。図１３に示すように、本実施形態の歯列矯正用ブラケット３８は、ブラケット本体３９の前面に、スロット部４０とウイングブロック４１が形成されている。このウイングブロック４１は、スロット部４０を上下に跨ぐように、上下１対のウイング部４２，４３が形成されているとともに、左右方向に所望の間隔をもって３分割されている。
【００５５】
３分割された各ウイングブロック４１のうちの、左右両側部におけるウイングブロック４１，４１には、上下の各ウイング部４２，４３における左右端面のうちの外側端面に、前後に離間させて１対の第１補助ウイング部４４，４５が、それぞれ設けられている。中央のウイングブロック４１には、上下の各ウイング部４２，４３における左右両端面に、前後に離間させて１対の第２補助ウイング部４６，４７が、それぞれ設けられている。左右のウイングブロック４１，４１における第１補助ウイング部４４，４５の前後の間隔ａは、中央のウイングブロック４１における第２補助ウイング部４６，４７の前後の間隔ｂよりも広く（ａ＞ｂ）してあるとともに、中央のウイングブロック４１を中心にして、左右対称に配置されている。
これにより、左右の各ウイングブロック４１，４１における後方の第１補助ウイング部４５の後面側に掛け止めされる結紮ワイヤーによる結紮圧が、中央のウイングブロック４１における後方の第２補助ウイング部４７の後面側に掛け止めされた結紮ワイヤーによる結紮圧よりも高くなるようにしてある。
【００５６】
上記した各実施形態において、ブラケット本体１におけるウイングブロック４の上下各ウイング部５，６に形成される補助ウイング部９，１０を、各ウイング部５，６の左右端面におけるスロット部３側に近接位置させてあるが、スロット部３から離間した位置に形成してもよい。
また、アーチワイヤー１３の周面を粗面に形成して、結紮ワイヤー１３の外周面やブラケット本体２におけるスロット部３の内周面に接触させうるように装着して結紮すれば、アーチワイヤー１３が結紮ワイヤー１３に対して相対移動するときの摩擦抵抗を、より大きくすることができ、大きい摩擦抵抗を必要とする治療段階に好適に用いることができる。
さらに、結紮手段として、結紮ワイヤー１３に代えて、ゴムリングを用いることも可能であることは言うまでもない。
【図面の簡単な説明】
【００５７】
【図１】本発明の第１実施形態における歯列矯正用ブラケットの斜視図である。
【図２】第１結紮手段によるアーチワイヤーとブラケットとの通常の結紮形態を示す斜視図である。
【図３】同じく側面図である。
【図４】第１結紮手段によるアーチワイヤーとブラケットとの結紮を調整した結紮形態を示す斜視図である。
【図５】同じく側面図である。
【図６】（Ａ）〜（Ｅ）は、第１結紮手段によるアーチワイヤーとブラケットとの結紮圧を調整した形態の各種パターンを概略的に示す正面図である。
【図７】（Ａ）〜（Ｅ）は、第２結紮手段によるアーチワイヤーとブラケットとの結紮圧を調整した形態の各種パターンを概略的に示す正面図である。
【図８】（Ａ）〜（Ｅ）は、第３結紮手段によるアーチワイヤーとブラケットとの結紮圧を調整した形態の各種パターンを概略的に示す正面図である。
【図９】（Ａ）〜（Ｅ）は、本発明の第２実施形態における歯列矯正用ブラケットの第２結紮手段によるアーチワイヤーとブラケットとの結紮圧を調整した形態の各種パターンを概略的に示す正面図である。
【図１０】本発明の第３実施形態における歯列矯正用ブラケットの斜視図である。
【図１１】アーチワイヤーとブラケットとの結紮圧を調整した形態を示す側面図である。
【図１２】本発明の第４実施形態における歯列矯正用ブラケットの斜視図である。
【図１３】本発明の第５実施形態における歯列矯正用ブラケットの視図である。
【符号の説明】
【００５８】
１    歯列矯正用ブラケット
２    ブラケット本体
２ａ  前面
３    スロット部
３ａ  基底面
４    ウイングブロック
５    ウイング部
５ａ  外側端面
６    ウイング部
６ａ  外側端面
７    引掛部
８    引掛部
９    補助ウイング部
１０  補助ウイング部
１１  引掛溝部
１２  引掛溝部
１３  アーチワイヤー
１３ａ  前面
１４  第１結紮ワイヤー（結紮手段）
１５  第２結紮ワイヤー（結紮手段）
１６  結紮ワイヤー
１７  結紮ワイヤー
１８  歯列矯正用ブラケット
１９  ブラケット本体
２０  スロット部
２１  ウイングブロック
２２  ウイング部
２３  ウイング部
２４，２５  補助ウイング部
２６，２７  補助ウイング部
２８  アーチワイヤー
２９  結紮ワイヤー
３０  歯列矯正用ブラケット
３１  ブラケット本体
３２  スロット部
３３  ウイングブラケット
３４  ウイング部
３５  ウイング部
３６  補助ウイング部
３７  補助ウイング部
３８  歯列矯正用ブラケット
３９  ブラケット本体
４０  スロット部
４１  ウイングブロック
４２  ウイング部
４３  ウイング部
４４，４５  第１補助ウイング部
４６，４７  
ａ  １対の第１補助ウイング部の間隔
ｂ  １対の第２補助ウイング部の間隔
【図１】
2008073344.tif 000003
【図２】
2008073344.tif 000004
【図３】
2008073344.tif 000005
【図４】
2008073344.tif 000006
【図５】
2008073344.tif 000007
【図６】
2008073344.tif 000008
【図７】
2008073344.tif 000009
【図８】
2008073344.tif 000010
【図９】
2008073344.tif 000011
【図１０】
2008073344.tif 000012
【図１１】
2008073344.tif 000013
【図１２】
2008073344.tif 000014
【図１３】
2008073344.tif 000015